(57)【特許請求の範囲】
【請求項１】
天面部と、底面部と、正面部と、背面部と、及び左右一対の側面部とにより区画され、内部に家庭用薄葉紙を収納して、少なくとも前記天面部に設けられたミシン目を破断することにより形成された蓋部を開けて露出させた取出口から前記家庭用薄葉紙を取り出す家庭用薄葉紙収納箱において、
前記天面部に設けられたミシン目又はスリットにより形成される係止部と、
前記蓋部に設けられ、前記係止部に差し込むことが可能な凸形状の切込み部と、を備え、
前記係止部は、左右方向に延在する第１係止部と前後方向に延在する第２係止部とにより、平面視Ｔ字状、或いは平面視十字状の何れかの形状に形成され、
前記蓋部は、前記天面部に設けられた左右方向に平行なヒンジ軸により回動可能に構成され、
前記切込み部は、正面部側が凸となるように形成されるとともに、指が挿入される大きさに形成され、
前記蓋部が前記背面部側に回動されて前記切込み部が前記係止部に差し込こまれることで前記蓋部が前記係止部に保持されることを特徴とする家庭用薄葉紙収納箱。
【請求項２】
前記天面部の前記係止部が配置される部位の裏面側に、前記切込み部が挿入される空間部を有するように、フィルムが貼付されていることを特徴とする請求項１記載の家庭用薄葉紙収納箱。
【請求項３】
請求項１又は２記載の家庭用薄葉紙収納箱において、
前記背面部に、指を挿入可能な大きさの指差込口を備えることを特徴とする家庭用薄葉紙収納箱。
【請求項４】
請求項１〜３の何れか一項に記載の家庭用薄葉紙収納箱において、
前記切込み部は、左右方向の長さが先端側から基端側に漸次長くなることを特徴とする家庭用薄葉紙収納箱。
【請求項５】
請求項４に記載の家庭用薄葉紙収納箱において、
前記切込み部の前後方向の長さ（ｇ）が、１０〜１５ｍｍであり、
前記切込み部の左右方向の長さ（ｅ）が、２０〜３５ｍｍであり、
前記切込み部の先端から内側に所定の長さ（ｈ：２〜４ｍｍ）入ったところの左右方向の長さ（ｆ）が、１２〜１６ｍｍであり、
前記第１係止部の長さ（ｄ）が、（ｆ＋１）ｍｍ〜３５ｍｍであり、
前記第２係止部のうち、前記第１係止部よりも背面部側の長さ（ｂ）が、０〜１０ｍｍであり、
前記第２係止部のうち、前記第１係止部よりも正面部側の長さ（ｃ）が、５〜１５ｍｍであることを特徴とする家庭用薄葉紙収納箱。
【発明の詳細な説明】
【技術分野】
【０００１】
本発明は、家庭用薄葉紙収納箱に関する。
【背景技術】
【０００２】
従来、積層され、或いはロール状に巻回された家庭用薄葉紙を内部に収容し、上面部などに設けられた開口部から内部に収容された家庭用薄葉紙を取り出して使用する家庭用薄葉紙収納箱が知られている。
このような家庭用薄葉紙収納箱として、例えば、天板に、ヒンジ部を設け、このヒンジ部を介してシート取出口を塞ぐ蓋部を天板に一体的に連設し、蓋部の先端側に折線を介して差込片を形成する一方、ヒンジ部の後方にスリットをヒンジ部と平行に設けてなり、蓋部をヒンジ部を介して後方に反転させ、蓋部の先端側の差込片をスリット内に差し込み固定して蓋部を断面が３角形状となるように折り曲げたうえで天板上に保持させることが可能な家庭用薄葉紙収納箱が知られている（特許文献１参照。）。
【先行技術文献】
【特許文献】
【０００３】
【特許文献１】特開平９−２９５６３７号公報
【発明の概要】
【発明が解決しようとする課題】
【０００４】
しかしながら、特許文献１に記載の家庭用薄葉紙収納箱は、蓋部をヒンジ部を介して後方に反転させ、蓋部の先端側の差込片をスリット内に差し込み固定して蓋部を断面が３角形状となるように折り曲げたうえで天板上に保持させるので、蓋部の保持作業が煩雑となっていた。
また、蓋部の先端側の差込片が反転されてスリット内に差し込まれるので、蓋部を閉じる場合に反対に折り曲げたくせが残り、十分に閉まらないという問題があった。
【０００５】
本発明の課題は、蓋部を天面部に保持させやすく、且つ蓋部を閉めやすい家庭用薄葉紙収納箱を提供することである。
【課題を解決するための手段】
【０００６】
上記課題を解決するために、請求項１に記載の発明は、天面部と、底面部と、正面部と、背面部と、及び左右一対の側面部とにより区画され、内部に家庭用薄葉紙を収納して、少なくとも前記天面部に設けられたミシン目を破断することにより形成された蓋部を開けて露出させた取出口から前記家庭用薄葉紙を取り出す家庭用薄葉紙収納箱において、
前記天面部に設けられたミシン目又はスリットにより形成される係止部と、
前記蓋部に設けられ、前記係止部に差し込むことが可能な凸形状の切込み部と、を備え、
前記係止部は、左右方向に延在する第１係止部と前後方向に延在する第２係止部とにより、平面視Ｔ字状、或いは平面視十字状の何れかの形状に形成され、
前記蓋部は、前記天面部に設けられた左右方向に平行なヒンジ軸により回動可能に構成され、
前記切込み部は、正面部側が凸となるように形成されるとともに、指が挿入される大きさに形成され、
前記蓋部が前記背面部側に回動されて前記切込み部が前記係止部に差し込こまれることで前記蓋部が前記係止部に保持されることを特徴とする。
【０００７】
請求項２に記載の発明は、請求項１記載の家庭用薄葉紙収納箱において、
前記天面部の前記係止部が配置される部位の裏面側に、前記切込み部が挿入される空間部を有するように、フィルムが貼付されていることを特徴とする。
【０００８】
請求項３に記載の発明は、請求項１又は２記載の家庭用薄葉紙収納箱において、
前記背面部に、指を挿入可能な大きさの指差込口を備えることを特徴とする。
【０００９】
請求項４に記載の発明は、請求項１〜３の何れか一項に記載の家庭用薄葉紙収納箱において、
前記切込み部は、左右方向の長さが先端側から基端側に漸次長くなることを特徴とする。
【００１０】
請求項５に記載の発明は、請求項４に記載の家庭用薄葉紙収納箱において、
前記切込み部の前後方向の長さ（ｇ）が、１０〜１５ｍｍであり、
前記切込み部の左右方向の長さ（ｅ）が、２０〜３５ｍｍであり、
前記切込み部の先端から内側に所定の長さ（ｈ：２〜４ｍｍ）入ったところの左右方向の長さ（ｆ）が、１２〜１６ｍｍであり、
前記第１係止部の長さ（ｄ）が、（ｆ＋１）ｍｍ〜３５ｍｍであり、
前記第２係止部のうち、前記第１係止部よりも前記背面部側の前後方向の長さ（ｂ）が、０〜１０ｍｍであり、
前記第２係止部のうち、前記第１係止部よりも前記正面部側の前後方向の長さ（ｃ）が、５〜１５ｍｍであることを特徴とする。
【発明の効果】
【００１１】
請求項１記載の発明によれば、取出口を開閉する蓋部に設けられた切込み部を指で押して天面部に設けられた係止部に当該切込み部を係止させることで蓋部を天面部に保持させることができるので、従来のように蓋部の先端を反転させて係止部に係止させるものに比べて、蓋部を容易に天面部に保持させることができる。
また、蓋部の先端を反対向きに折り曲げる必要がないので、従来のように蓋部の先端を反対側に折り曲げて係止部に係止させるものに比べて、折り曲げぐせが少なく蓋部を閉め易い。
【００１２】
請求項２記載の発明によれば、天面部の係止部が配置される部位の裏面側に、切込み部が挿入される空間部を有するように、フィルムが貼付されているので、係止部にスリットを設けた場合でも、切込み部の挿入が妨げられることなく、且つ家庭用薄葉紙収納箱内への異物の侵入を防止することができる。
【００１３】
請求項３記載の発明によれば、背面部に設けられた指差込口に指を挿入することができるので、手が小さいユーザでも当該家庭用薄葉紙収納箱を片手で容易に持つことができる。
【００１４】
請求項４記載の発明によれば、切込み部は、左右方向の長さが先端側から基端側に漸次長くなっているので、所謂先細り形状となって切込み部を係止部に係止させやすい。
【００１５】
請求項５記載の発明によれば、切込み部及び係止部が好適な寸法に形成されているので、より容易且つ確実に蓋部を係止部に係止させることができる。
【図面の簡単な説明】
【００１６】
【図１】本実施形態のロール状シート収納箱の一例を示す斜視図である。
【図２】図１のロール状シート収納箱を展開した展開図である。
【図３】図１のロール状シート収納箱の蓋部を開いた状態を示す斜視図である。
【図４】図３のロール状シート収納箱の側面図である。
【図５】蓋部を係止部に係止させた状態を示す説明図である。
【図６】変形例である積層シート収納箱の一例を示す斜視図である。
【図７】変形例である積層シート収納箱の蓋部を開いた状態を示す斜視図である。
【図８】各寸法を説明するための説明図である。
【発明を実施するための形態】
【００１７】
以下、図を参照して、本発明の実施の形態を詳細に説明する。ただし、発明の範囲は、図示例に限定されない。
本実施形態では、家庭用薄葉紙収納箱として、ロール状シート収納箱を例示して説明を行う。
なお、以下の説明では、ロール状シート収納箱の厚み方向を上下方向（高さ）とし、ロール状シート収納箱の長辺方向を左右方向（幅）、上下方向及び左右方向の双方に直交する方向を前後方向（奥行き）とする。
【００１８】
本実施形態のロール状シート収納箱１０は、例えば、図１〜５に示すように、天面部１、底面部２、正面部３、背面部４、及び左右一対の側面部５（５ａ、５ｂ）により区画された箱体である。このロール状シート収納箱１０の内部には、ロール状シート２０が収納され、天面部１から正面部３に亘って形成された取出口６からロール状シート２０を外部へ引き出して使用するようになっている。
ここで、「箱体」とは、ロール状シート２０を収納し得る内部空間が形成される形状のものであり、例えば、直方体状、立方体状等の六面体状のものを挙げることができる。例えば、図１は、ロール状シート収納箱１０を直方体状に構成した例である。
【００１９】
また、本実施形態のロール状シート収納箱１０を構成する材質について特に制限はないが、箱体を折り曲げ形成する都合上、厚紙等の紙材料を構成材料とすることが好ましい。一般に、これらの紙材料としては、例えば、木材パルプ、古紙等を原料として製造されたものを好適に用いることができる。
ロール状シート収納箱１０の大きさは特に限定するものではないが、例えば、左右方向の幅が、２４０〜２５０ｍｍ、前後方向の奥行きが、１１０〜１２０ｍｍ、高さ方向の高さが、５０〜１２０ｍｍとされている。
【００２０】
また、「ロール状シート」とは、長尺な家庭用薄葉紙を芯（図示省略）の周囲に巻回されたものであるが、その種類について特に制限はなく、例えば、キッチンペーパー（キッチンタオル、クッキングペーパー等）、トイレットペーパー、ティシュペーパー（顔ふき紙、化粧紙等と呼ばれるもの）、等の使い捨て紙等を挙げることができる。
かかるロール状シート２０には、巻回方向の所定間隔毎にミシン目（図示省略）が設けられており、取出口６から引き出して使用する際に所要の長さで切り離すことができるようになっている。
【００２１】
天面部１、底面部２、正面部３、背面部４の両側縁からは、例えば、図２に示すように、それぞれ、一対の天面側フラップ１１，１２、一対の底面側フラップ２１，２２、一対の正面側フラップ３１，３２、一対の背面側フラップ４１，４２、が延出している。これらのフラップは、それぞれ、天面部１、底面部２、正面部３、背面部４との接続部（境界線）において内側に折り曲げられ、重なり合った状態で互いに糊付けされて側面部５（５ａ，５ｂ）が形成されるようになっている。
【００２２】
天面部１から正面部３に亘っては、取出口６の外周形状と一致するように形成された取出口形成用のミシン目６１が設けられている。
より具体的には、ミシン目６１は、正面部３の上下方向の所定の位置に、左右方向に延在する第１ミシン目６１ａと、この第１ミシン目６１ａの両端から天面部１との境界線を通って更に天面部１の前後方向の所定の位置まで延在する第２ミシン目６１ｂ、６１ｂとで構成される。そして、ユーザがこのミシン目６１を破断することによって、平面視コ字状の切込みが形成されるとともに、第２ミシン目６１ｂ、６１ｂの背面部４側の端部同士を結ぶ左右方向に平行な線をヒンジ軸７ａとして折り曲げることで、ミシン目６１で囲まれた部分が蓋部７を形成するようになっている。
【００２３】
この蓋部７を、ヒンジ軸７ａにより回動させることで、取出口６を露出させたり、塞いだりすることができるようになっており、露出させた状態の取出口６からロール状シート２０を取り出すことが可能となる。
蓋部７は、例えば、図３に示すように、左右方向に長尺な形状に形成されており、天面部１と正面部３との境界線にて屈曲した形状をなし、天面部１側の天面蓋部７１と正面部３側の正面蓋部７２とにより構成されている。
天面蓋部７１の略中央付近には、正面部３側に凸形状の切込み部７３が設けられている。
【００２４】
切込み部７３は、先端部が円弧状のアーチ状に形成されているとともに、左右方向の長さが先端側から基端側に漸次長くなっている。この切込み部７３で囲まれた部分の大きさは、指が挿入可能な程度の大きさとされている。また、切込み部７３は、出荷時においては、ミシン目により外形が形取られている。
【００２５】
天面部１には、天面蓋部７１よりも背面部４側の所定位置に、切込み部７３が挿入されて係止される係止部１３が設けられている。
係止部１３は、左右方向に延在する第１係止部１３ａと前後方向に延在する第２係止部１３ｂとにより、平面視Ｔ字状に形成されている。
なお、係止部１３は、平面視十字状に形成されていてもよい。また、係止部１３は、出荷時においてはミシン目によりその形状が形取られていて、使用に際し、ミシン目を破断してスリット状にしてもよいし、初めからスリット状に形成されていてもよい。
そして、図５に示すように、切込み部７３に裏面側から指を当てた状態で、蓋部７をヒンジ軸７ａを軸として背面部４側に回動させた際、切込み部７３を形取るミシン目が破断されて当該切込み部７３が蓋部７よりも更に背面部４側に倒れ込んで係止部１３に挿入され係止されるようになっている。
【００２６】
また、天面部１の係止部１３が配置される部位の裏面側には、フィルム１４が貼り付けられている。
フィルム１４は、特に限定はしないがポリエチレンやポリプロピレンなどのプラスチック製であり、切込み部７３が挿入される空間部７３ａを有するように天面部１に貼付されている。
【００２７】
背面部４には、やや右側面部５ｂよりで且つ天面部１よりの所定の位置に、指差込用ミシン目４ａが設けられ、この指差込用ミシン目４ａを破断することで指差込口４３が形成されるようになっている。
なお、指差込口４３の位置は任意であるが、手が小さいユーザでも天面部１側から指が挿入可能な位置に設けることを目的としているため、なるべく天面部１側に近い位置が好ましい。また、指差込口４３の大きさも任意である。
【００２８】
（変形例）
以下、本実施形態の家庭用薄葉紙収納箱の変形例について説明する。
変形例の家庭用薄葉紙収納箱は、積層シート収納箱１００である。
なお、積層シート収納箱１００の説明にあたり、ロール状シート収納箱１０と同様の構成については同一の符号を付して、その説明を省略する。
【００２９】
変形例の積層シート収納箱１００は、例えば、図６、図７に示すように、天面部１、底面部２、正面部３、背面部４、及び左右一対の側面部５（５ａ、５ｂ）により区画された箱体である。この積層シート収納箱１００の内部には、シート２００が交互に折り畳まれ積層された積層シートが収納され、天面部１に形成された取出口６０からシート２００を外部へ引き出して使用するようになっている。
【００３０】
天面部１には、取出口６０の外周形状と一致するように形成された取出口形成用のミシン目６０１が設けられている。
より具体的には、ミシン目６０１は、天面部１の前後方向の所定の位置に、左右方向に延在する第１ミシン目６０１ａと、この第１ミシン目６０１ａの両端から前後方向の所定の位置まで延在する第２ミシン目６０１ｂ、６０１ｂとで構成される。そして、ユーザがこのミシン目６０１を破断することによって、平面視コ字状の切込みが形成されるとともに、第２ミシン目６０１ｂ、６０１ｂの背面部４側の端部同士を結ぶ線をヒンジ軸７０ａとして折り曲げることで、ミシン目６０１で囲まれた部分が蓋部７０を形成するようになっている。即ち、蓋部７０は、天面部１にのみ設けられている。
【００３１】
この蓋部７０を、ヒンジ軸７０ａを軸として回動させることで、取出口６０を露出させたり、塞いだりすることができるようになっており、露出された状態の取出口６０からシート２００を取り出すことが可能となる。
蓋部７０は、左右方向に長尺な矩形状に形成されており、略中央付近には、切込み部７３が設けられている。
【００３２】
天面部１には、係止部１３が設けられている。係止部１３は、左右方向に延在する第１係止部１３ａと前後方向に延在する第２係止部１３ｂとにより、平面視Ｔ字状に形成されている。
また、天面部１の係止部１３が配置される部位の裏面側には、図示は省略するが、フィルムが貼り付けられている。このフィルムは、ロール状シート収納箱１０のフィルム１４と略同じものである。
【００３３】
背面部４には、やや右側面部５ｂよりで且つ天面部１よりの所定の位置に、図示は省略するが、指差込用ミシン目が設けられ、この指差込用ミシン目を破断することで指差込口が形成されるようになっている。この指差込口は、ロール状シート収納箱１０の指差込口４３と略同じものである。
【００３４】
次に、ロール状シート収納箱１０及び積層シート収納箱１００の係止部１３、切込み部７３の各寸法について規定する。
【００３５】
図８に示すように、係止部１３の第１係止部１３ａにおける、天面部１の背面部４との境界線からの長さ（ａ）は、１０ｍｍ以上である。
ここで、長さ（ａ）を１０ｍｍ以上としたのは、１０ｍｍより短いと、カートナーでの形成時に、天面部１が裂ける可能性があるからである。
【００３６】
第２係止部１３ｂのうち、第１係止部１３ａよりも背面部４側の前後方向の長さ（ｂ）は、０〜１０ｍｍの範囲、より好ましくは３〜５ｍｍの範囲である。
ここで、長さ（ｂ）の上限を１０ｍｍとしたのは、長さ（ａ）との関係を考慮したためである。なお、長さ（ｂ）を３〜５ｍｍにすると、切込み部７３のはめ込みやすさと切込み部７３と係止部１３との間の保持力（以下、「保持力」という。）のバランスに優れるようになる。
【００３７】
第２係止部１３ｂのうち、第１係止部１３ａよりも正面部３側の前後方向の長さ（ｃ）は、５〜１５ｍｍの範囲、より好ましくは５〜１０ｍｍの範囲である。
ここで、長さ（ｃ）を５〜１５ｍｍとしたのは、長さ（ｃ）が５ｍｍを下回ると切込み部７３を挿入しにくく、長さ（ｃ）が１５ｍｍを超えると、「保持力」が弱くなるためである。なお、長さ（ｃ）を５〜１０ｍｍにすると、切込み部７３のはめ込みやすさと「保持力」のバランスに優れるようになる。
【００３８】
第１係止部１３ａの左右方向の長さ（ｄ）は、（ｆ＋１）ｍｍ〜３５ｍｍの範囲である。
ここで、長さ（ｄ）を（ｆ＋１）ｍｍ〜３５ｍｍとしたのは、長さ（ｄ）が（ｆ＋１）ｍｍ以上ないと、切込み部７３をはめ込むことができないからであり、長さ（ｄ）が３５ｍｍを超えると、「保持力」が弱くなるためである。
【００３９】
切込み部７３の左右方向の長さ（ｅ）は、２０〜３５ｍｍの範囲、より好ましくは２０〜３０ｍｍの範囲である。
ここで、長さ（ｅ）を２０〜３５ｍｍとしたのは、長さ（ｅ）が２０ｍｍを下回ると、人の指のサイズと比較して同等若しくはそれ以下となり、指をはめ込みにくく、切込み部７３を係止しにくくなるからであり、長さ（ｅ）が３５ｍｍを超えると、逆に大きすぎて切込み部７３を係止部１３にはめ込みにくくなるからである。なお、長さ（ｅ）を２０〜３０ｍｍにすると、切込み部７３を係止部１３により好適にはめ込むことができる。
【００４０】
切込み部７３の先端から内側に所定の長さ（ｈ：２〜４ｍｍ）入ったところの左右方向の長さ（ｆ）は、１２〜１６ｍｍの範囲である。
ここで、長さ（ｆ）を１２〜１６ｍｍとしたのは、長さ（ｆ）が１２ｍｍを下回ると、「保持力」が弱くなるためであり、長さ（ｆ）が１６ｍｍを超えると、逆に長すぎて切込み部７３を係止部１３にはめ込みにくくなるからである。
【００４１】
切込み部７３の前後方向の長さ（ｇ）は、１０〜１５ｍｍの範囲である。
ここで、長さ（ｇ）を１０〜１５ｍｍとしたのは、長さ（ｇ）が１０ｍｍを下回ると、切込み部７３が曲がりにくく、係止部１３にはめ込みにくくなるからであり、長さ（ｇ）が１５ｍｍを超えると、切込み部７３が逆に曲がりやすくなり、「保持力」が弱くなるためである。
【００４２】
切込み部７３の先端から内側の所定の長さ（ｈ）が、２〜４ｍｍの範囲である。
ここで、長さ（ｈ）を２〜４ｍｍとしたのは、２ｍｍを下回ると、短すぎて切込み部７３を係止部１３にはめにくく、且つ「保持力」が弱くなるためであり、長さ（ｈ）が４ｍｍを超えると、長すぎて切込み部７３を係止部１３にはめ込みにくくなるからである。
【００４３】
切込み部７３の基端から蓋部のヒンジ軸までの長さ（ｉ）が、１０ｍｍ以上である。
ここで、長さ（ｉ）を１０ｍｍ以上としたのは、１０ｍｍを下回ると、ヒンジ軸との距離が近すぎて反発力が大きくなり、切込み部７３が曲がりやすく、「保持力」も小さくなるからである。
【００４４】
次に、係止部１３、切込み部７３の各寸法を規定した根拠を、実験結果を基に説明する。
（１）長さ（ｂ）、長さ（ｃ）の根拠
［実験条件］
家庭用薄葉紙収納箱として、左右方向の幅が、２４３ｍｍ、前後方向の奥行きが、１１５ｍｍ、上下方向の高さが、１１５ｍｍの積層シート収納箱を使用した。
長さ（ａ）の寸法は、１５ｍｍである。長さ（ｂ）の寸法は、０ｍｍ、３ｍｍ、５ｍｍ、７ｍｍ、１０ｍｍ、１３ｍｍの６水準である。長さ（ｃ）の寸法は、３ｍｍ、５ｍｍ、１０ｍｍ、１２ｍｍ、１５ｍｍ、１８ｍｍの６水準である。長さ（ｄ）の寸法は、１５ｍｍ、２５ｍｍの２水準である。長さ（ｅ）の寸法は、２５ｍｍである。長さ（ｆ）の寸法は、１４ｍｍである。長さ（ｇ）の寸法は、１０ｍｍである。長さ（ｈ）の寸法は、３ｍｍである。長さ（ｉ）の寸法は、１５ｍｍである。
［評価方法］
ユーザ１０人による、切込み部７３の「はめ込みやすさ」と「保持力」についての官能評価であり、
◎；「はめ込みにくい」、「保持力が弱い」と感じた人数が０人
○；「はめ込みにくい」、「保持力が弱い」の何れかを感じた人数が１〜４人
×；「はめ込みにくい」、「保持力が弱い」の何れかを感じた人数が５人以上
で行った。
その結果を表１、表２に示す。
［実験結果］
表１は、長さ（ｄ）が１５ｍｍの場合の結果であり、表２は、長さ（ｄ）が２５ｍｍの場合の結果である。
【表１】
0005503415.tif 000002
【００４５】
【表２】
0005503415.tif 000003
【００４６】
表１、表２に示すように、長さ（ｂ）が０〜１０ｍｍの範囲、且つ長さ（ｃ）が、５〜１５ｍｍの範囲で「はめ込みやすさ」と「保持力」が良好であることが分かる。また、特に、長さ（ｂ）が３〜５ｍｍの範囲で、且つ長さ（ｃ）が５〜１０ｍｍの範囲で「はめ込みやすさ」と「保持力」のバランスが優れていることが分かる。
【００４７】
（２）長さ（ａ）の根拠
［実験条件］
家庭用薄葉紙収納箱として、左右方向の幅が、２４３ｍｍ、前後方向の奥行きが、１１５ｍｍ、上下方向の高さが、１１５ｍｍの積層シート収納箱を使用した。
長さ（ａ）の寸法は、５ｍｍ、８ｍｍ、１０ｍｍ、１５ｍｍ、２０ｍｍの５水準である。
長さ（ｂ）の寸法は、５ｍｍである。長さ（ｃ）の寸法は、１０ｍｍである。長さ（ｄ）の寸法は、１５ｍｍである。長さ（ｅ）の寸法は、２５ｍｍである。長さ（ｆ）の寸法は、１４ｍｍである。長さ（ｇ）の寸法は、１０ｍｍである。長さ（ｈ）の寸法は、３ｍｍである。長さ（ｉ）の寸法は、１５ｍｍである。
［評価方法］
家庭用薄葉紙収納箱成形時の破れ、折れの発生の有無の評価であり、
○；破れ、折れの発生なし
×；破れ、折れの発生あり
で行った。
その結果を表３に示す。
［実験結果］
【表３】
0005503415.tif 000004
【００４８】
表３に示すように、長さ（ａ）が、１０ｍｍ以上であれば、家庭用薄葉紙収納箱成形時の破れ、折れが発生しないことが分かった。
【００４９】
（３）長さ（ｄ）の根拠
［実験条件］
家庭用薄葉紙収納箱として、左右方向の幅が、２４３ｍｍ、前後方向の奥行きが、１１５ｍｍ、上下方向の高さが、１１５ｍｍの積層シート収納箱を使用した。
長さ（ａ）の寸法は、１５ｍｍである。長さ（ｂ）の寸法は、５ｍｍである。長さ（ｃ）の寸法は、１０ｍｍである。長さ（ｄ）の寸法は、長さ（ｆ）が１２ｍｍの場合、１２ｍｍ、１３ｍｍ、１５ｍｍ、２０ｍｍ、２５ｍｍ、３０ｍｍ、３５ｍｍ、４０ｍｍの８水準、長さ（ｆ）が１６ｍｍの場合、１３ｍｍ、１６ｍｍ、１７ｍｍ、２０ｍｍ、２５ｍｍ、３０ｍｍ、３５ｍｍ、４０ｍｍの８水準である。長さ（ｅ）の寸法は、２５ｍｍである。長さ（ｆ）の寸法は、１２ｍｍ、１６ｍｍの２水準である。長さ（ｇ）の寸法は、１０ｍｍである。
長さ（ｈ）の寸法は、３ｍｍである。長さ（ｉ）の寸法は、１５ｍｍである。
［評価方法］
「はめ込みやすさ」と「保持力」により評価を行った。
「はめ込みやすさ」の評価は、
○；ユーザ１０人中４人以下が切込み部をはめ込みにくいと感じた場合
×；ユーザ１０人中５人以上が切込み部をはめ込みにくいと感じた場合
で行った。
「保持力」の評価は、
○；切込み部をはめ込み後、高さ５０ｃｍから天面部１を上にした状態から１０回落下させ、１回も切込み部が外れない場合
×；切込み部をはめ込み後、高さ５０ｃｍから天面部１を上にした状態から１０回落下させ、１回でも切込み部が外れた場合
で行った。
その結果を表４、５に示す。
［実験結果］
表４は、長さ（ｆ）が１２ｍｍの場合の結果であり、表５は、長さ（ｆ）が１６ｍｍの場合の結果である。
【表４】
0005503415.tif 000005
【００５０】
【表５】
0005503415.tif 000006
【００５１】
表４、５に示すように、長さ（ｄ）が、（ｆ＋１）ｍｍ〜３５ｍｍの範囲であれば、切込み部のはめ込みやすさと保持力の確保の両立が図れることが分かった。
【００５２】
（４）長さ（ｇ）の根拠
［実験条件］
家庭用薄葉紙収納箱として、左右方向の幅が、２４３ｍｍ、前後方向の奥行きが、１１５ｍｍ、上下方向の高さが、１１５ｍｍの積層シート収納箱を使用した。
長さ（ａ）の寸法は、１５ｍｍである。長さ（ｂ）の寸法が１０ｍｍ、長さ（ｃ）の寸法が１５ｍｍ、長さ（ｄ）の寸法が３５ｍｍの第１水準と、長さ（ｂ）の寸法が０ｍｍ、長さ（ｃ）の寸法が５ｍｍ、長さ（ｄ）の寸法が１３ｍｍの第２水準の２水準である。
長さ（ｅ）の寸法は、２５ｍｍである。長さ（ｆ）の寸法は、１２ｍｍである。長さ（ｇ）の寸法は、１０ｍｍである。長さ（ｈ）の寸法は、２ｍｍである。長さ（ｉ）の寸法は、１５ｍｍである。
［評価方法］
「保持力」により評価を行った。
「保持力」の評価は、
○；切込み部をはめ込み後、高さ５０ｃｍから天面部１を上にした状態から１０回落下させ、１回も切込み部が外れない場合
×；切込み部をはめ込み後、高さ５０ｃｍから天面部１を上にした状態から１０回落下させ、１回でも切込み部が外れた場合
で行った。
その結果を表６、７に示す。
［実験結果］
表６は、第１水準の場合の結果であり、表７は、第２水準の場合の結果である。
【表６】
0005503415.tif 000007
【００５３】
【表７】
0005503415.tif 000008
【００５４】
表６、表７に示すように、長さ（ｇ）が、１０〜１５ｍｍの範囲であれば、保持力を良好に保つことができることが分かった。
【００５５】
（５）長さ（ｈ）の根拠
［実験条件］
家庭用薄葉紙収納箱として、左右方向の幅が、２４３ｍｍ、前後方向の奥行きが、１１５ｍｍ、上下方向の高さが、１１５ｍｍの積層シート収納箱を使用した。
長さ（ａ）の寸法は、１５ｍｍである。長さ（ｂ）の寸法は、１０ｍｍである。長さ（ｃ）の寸法は、１５ｍｍである。長さ（ｄ）の寸法は、３５ｍｍである。長さ（ｅ）の寸法は、２５ｍｍである。長さ（ｆ）の寸法は、１２ｍｍである。長さ（ｇ）の寸法は、１０ｍｍである。長さ（ｈ）の寸法は、１ｍｍ、２ｍｍ、３ｍｍ、４ｍｍ、５ｍｍ、６ｍｍ、７ｍｍの７水準である。長さ（ｉ）の寸法は、１５ｍｍである。
［評価方法］
「保持力」により評価を行った。
「保持力」の評価は、
○；切込み部をはめ込み後、高さ５０ｃｍから天面部１を上にした状態から１０回落下させ、１回も切込み部が外れない場合
×；切込み部をはめ込み後、高さ５０ｃｍから天面部１を上にした状態から１０回落下させ、１回でも切込み部が外れた場合
で行った。
その結果を表８に示す。
［実験結果］
【表８】
0005503415.tif 000009
【００５６】
表８に示すように、長さ（ｈ）が、２〜４ｍｍの範囲であれば、保持力を良好に保つことができる。
【００５７】
（６）長さ（ｉ）の根拠
［実験条件］
家庭用薄葉紙収納箱として、左右方向の幅が、２４３ｍｍ、前後方向の奥行きが、１１５ｍｍ、上下方向の高さが、１１５ｍｍの積層シート収納箱を使用した。
長さ（ａ）の寸法は、１５ｍｍである。長さ（ｂ）の寸法は、１０ｍｍである。長さ（ｃ）の寸法は、１５ｍｍである。長さ（ｄ）の寸法は、３５ｍｍである。長さ（ｅ）の寸法は、２５ｍｍである。長さ（ｆ）の寸法は、１２ｍｍである。長さ（ｇ）の寸法は、１０ｍｍである。
長さ（ｈ）の寸法は、２ｍｍである。長さ（ｉ）の寸法は、５ｍｍ、８ｍｍ、１０ｍｍ、１５ｍｍ、２０ｍｍ、２５ｍｍの６水準である。
また、シートの米坪は、３００ｇ／ｍ2、３５０ｇ／ｍ2、４００ｇ／ｍ2の３水準である。
［評価方法］
「保持力」により評価を行った。
「保持力」の評価は、
○；切込み部をはめ込み後、高さ５０ｃｍから天面部１を上にした状態から１０回落下させ、１回も切込み部が外れない場合
×；切込み部をはめ込み後、高さ５０ｃｍから天面部１を上にした状態から１０回落下させ、１回でも切込み部が外れた場合
で行った。
その結果を表９に示す。
［実験結果］
【表９】
0005503415.tif 000010
【００５８】
表９に示すように、長さ（ｉ）が、１０ｍｍ以上であれば、保持力を良好に保つことができる。
【００５９】
以上、本発明に係るロール状シート収納箱１０及び積層シート収納箱１００によれば、取出口６、６０を開閉する蓋部７、７０に設けられた切込み部７３を指で押して天面部１に設けられた係止部１３に当該切込み部７３を係止させることで蓋部７、７０を天面部１に保持させることができるので、従来のように蓋部の先端を反転させて係止部に係止させるものに比べて、蓋部７、７０を容易に天面部１に保持させることができる。
また、蓋部７、７０の先端を反対向きに折り曲げる必要がないので、従来のように蓋部の先端を反対側に折り曲げて係止部に係止させるものに比べて、折り曲げぐせが少なく蓋部７、７０を閉め易い。
【００６０】
また、天面部１の係止部１３が配置される部位の裏面側に、切込み部７３が挿入される空間部７３ａを有するように、フィルム１４が貼付されているので、係止部１３にスリットを設けた場合でも、切込み部７３の挿入が妨げられることなく、ロール状シート収納箱１０及び積層シート収納箱１００内への異物の侵入を防止することができる。
【００６１】
また、背面部４に設けられた指差込口４３に指を挿入することができるので、手が小さいユーザでも当該ロール状シート収納箱１０及び積層シート収納箱１００を片手で容易に持つことができる。
【００６２】
また、切込み部７３は、左右方向の長さが先端側から基端側に漸次長くなっているので、切込み部７３を係止部１３に係止させやすい。
【００６３】
また、切込み部７３及び係止部１３が好適な寸法に形成されているので、より容易且つ確実に蓋部７、７０を係止部１３に係止させることができる。
【符号の説明】
【００６４】
１０  ロール状シート収納箱（家庭用薄葉紙収納箱）
１  天面部
１３  係止部
１３ａ  第１係止部
１３ｂ  第２係止部
１４  フィルム
２  底面部
３  正面部
４  背面部
４３  指差込口
５（５ａ，５ｂ）  側面部
６  取出口
６１  ミシン目
７  蓋部
７３  切込み部
２０  ロール状シート（家庭用薄葉紙）
１００  積層シート収納箱（家庭用薄葉紙収納箱）
６０  取出口
６０１  ミシン目
７０  蓋部
２００  シート（家庭用薄葉紙）
【図１】
0005503415.tif 000011
【図２】
0005503415.tif 000012
【図３】
0005503415.tif 000013
【図４】
0005503415.tif 000014
【図５】
0005503415.tif 000015
【図６】
0005503415.tif 000016
【図７】
0005503415.tif 000017
【図８】
0005503415.tif 000018